(57)【要約】【課題】着脱作業性を向上するとともに、適用範囲を拡大でき、さらに薄肉化の促進により軽量化、コストダウンを達成できる受液器取り付け用ブラケットを提供する。【解決手段】受液器の一部の周側面を周方向に抱持する第１ブラケット部材と、受液器の他の一部の周側面を周方向に抱持する第２ブラケット部材とを有し、第１ブラケット部材の抱持部の周方向の一端部に、少なくともその幅方向の一部に延びる嵌合溝を形成するとともに、第２ブラケット部材の抱持部の周方向の一端部に少なくともその幅方向の一部に延び前記嵌合溝に嵌合する嵌合突状が形成され、前記嵌合溝に嵌合突状が嵌合されることにより第１ブラケット部材と第２ブラケット部材との一端部において係止構造を構成し、かつ他端部同士が締結部材にて締結され、受液器を抱持する受液器取り付け用ブラケットにおいて、前記係止構造を、第１ブラケット部材および／または第２ブラケット部材を受液器の径方向に回動することにより構成、解除可能な構造にしたことを特徴とする受液器取り付け用ブラケット。【選択図】  図１
2004268615.tif 000002
【特許請求の範囲】
【請求項１】
受液器の一部の周側面を周方向に抱持する第１ブラケット部材と、受液器の他の一部の周側面を周方向に抱持する第２ブラケット部材とを有し、第１ブラケット部材の抱持部の周方向の一端部に、少なくともその幅方向の一部に延びる嵌合溝を形成するとともに、第２ブラケット部材の抱持部の周方向の一端部に少なくともその幅方向の一部に延び前記嵌合溝に嵌合する嵌合突状が形成され、前記嵌合溝に嵌合突状が嵌合されることにより第１ブラケット部材と第２ブラケット部材との一端部において係止構造を構成し、かつ他端部同士が締結部材にて締結され、受液器を抱持する受液器取り付け用ブラケットにおいて、前記係止構造を、第１ブラケット部材および／または第２ブラケット部材を受液器の径方向に回動することにより構成、解除可能な構造にしたことを特徴とする受液器取り付け用ブラケット。
【請求項２】
前記嵌合溝および嵌合突状の断面が鉤形に形成されている、請求項１の受液器取り付け用ブラケット。
【請求項３】
前記第２ブラケット部材がプレス成形品から構成されており、前記嵌合突状が、抱持部の一端部を折り曲げた折曲部からなる請求項１または２の受液器取り付け用ブラケット。
【請求項４】
前記第１ブラケット部材および／または第２ブラケット部材に、ブラケットを凝縮器に取り付ける取り付け部が設けられている、請求項１または２の受液器取り付け用ブラケット。
【発明の詳細な説明】
【０００１】
【発明の属する技術分野】
本発明は、たとえば車両用空調装置の冷凍回路に用いられる凝縮器取り付けられる受液器の受液器取り付け用ブラケットに関する。
【０００２】
【従来の技術】
従来から、車両用空調装置の凝縮器に受液器を取り付ける受液器取り付け用ブラケットとしては、図４、図５に示すようなものが知られている（特許文献１）。図４において、１００は受液器取り付け用ブラケットを示している。ブラケット１００は、第１ブラケット部材１０１と第２ブラケット部材１０２とを有している。ブラケット部材１０１、１０２は金属（たとえば、アルミニウム）から構成されている。第１ブラケット部材１０１は、受液器１０３の周側面の周方向の一部を抱持する抱持部１０４を有している。一方、第２ブラケット部材１０２も受液器１０３の周側面の周方向の他の一部を抱持する抱持部１０５を有している。第１ブラケット部材１０１の抱持部１０４の一端部には、幅方向（図４の奥行き方向）の一部または全長に延びる奥拡がり状のスライド嵌合溝１０６が設けられている。スライド嵌合溝１０６には、第２ブラケット部材１０２抱持部１０５の一端部に設けられたスライド嵌合突状１０７が嵌合されるようになっている。スライド嵌合突状１０７は幅方向（図４の奥行き方向）の一部または全長に延びている。
【０００３】
第１ブラケット部材１０１、ブラケット部材１０２の抱持部１０４、１０５の他端部には、締結部１０８、１０９が設けられている。締結部１０８、１０９は、ボルト１１０を介して締結されている。
【０００４】
また、第１ブラケット部材１０１には、凝縮器１１１に固定（たとえば、ろう付け）される取り付け部１１２が設けられている。
【０００５】
上記のような受液器取り付け用ブラケット１００においては、両ブラケット部材１０１、１０２の抱持部１０４、１０５の一端部には、嵌合溝１０６と嵌合突状１０７と係止構造が構成されるとともに、他端部には、締結部材１０８、１０９等により締結構造が構成されるので、受液器１０３の周側面が全周にわたり抱持部により抱持され、受液器１０３が凝縮器１１１に強固に取り付けられるようになっている。
【０００６】
【特許文献１】
特許第３１００３５１号公報（第１図、第２図）
【０００７】
【発明が解決しようとする課題】
しかしながら、上記のような受液器取り付け用ブラケット１００においては、スライド嵌合溝１０６は奥拡がり状に形成されているので、該溝１０６に嵌合されるスライド嵌合溝１０７も当然先端に向かって拡がる形状に形成される。このため、ブラケット部材１０１、１０２のいずれか一方を受液器１０３の径方向から回動させて、溝１０６に突状１０７を嵌合させることは不可能である（図５）。つまり、上記のような係止構造を構成する際には、ブラケット部材１０１および／またはブラケット部材１０２を受液器１０３の軸方向に移動させながら、溝１０６と突状１０７とを位置合せして係止させる以外に方法はない。このため、取り付け、取り外し（以下、着脱ということもある）作業の自由度が著しく低下するおそれがある。とくに、車両用の冷凍回路においては、着脱時における作業スペースは大幅に制約されるため、ブラケット１００の着脱が実質的に不可能になるケースも想定され、適用車両等の適用範囲の狭小化を招くおそれがある。
【０００８】
また、奥拡がり形状の溝１０６を有する第１ブラケット部材１０１や先端に向かって拡がる突状１０７を有する第２ブラケット部材１０２を、たとえば射出成形等により一体成形しようとすると金型構造が極めて複雑化するおそれがある。このため、ブラケット部材１０１、１０２の成形方法は、図４の奥行き方向を押し出し方向とする押出成形に実質的に限定される。しかし、押出成形においては、成形品（とくに、突状１０７）の薄肉化におのずと限界があるため、ブラケット部材、ひいてはブラケット全体の軽量化やコストダウンが促進できなくなるおそれがある。
【０００９】
本発明の課題は、受液器取り付け用ブラケットの取り付け、取り外し等の作業性を向上し、さらに適用車両等の適用範囲を拡大でき、しかも軽量化やコストダウンを促進できる受液器取り付け用ブラケットを提供することにある。
【００１０】
【課題を解決するための手段】
上記課題を解決するために、本発明に係る受液器取り付け用のブラケットは、受液器の一部の周側面を周方向に抱持する第１ブラケット部材と、受液器の他の一部の周側面を周方向に抱持する第２ブラケット部材とを有し、第１ブラケット部材の抱持部の周方向の一端部に、少なくともその幅方向の一部に延びる嵌合溝を形成するとともに、第２ブラケット部材の抱持部の周方向の一端部に少なくともその幅方向の一部に延び前記嵌合溝に嵌合する嵌合突状が形成され、前記嵌合溝に嵌合突状が嵌合されることにより第１ブラケット部材と第２ブラケット部材との一端部において係止構造を構成し、かつ他端部同士が締結部材にて締結され、受液器を抱持する受液器取り付け用ブラケットにおいて、前記係止構造を、第１ブラケット部材および／または第２ブラケット部材を受液器の径方向に回動することにより構成、解除可能な構造にしたことを特徴とするものからなる。
【００１１】
上記嵌合溝および嵌合突状の形状はとくに限定されるものではない。つまり、一方または双方のブラケット部材を受液器の径方向に回動することにより係止構造が構成、解除可能な形状であればよい。たとえば、嵌合溝および嵌合突状は断面が鉤形になる形状に形成することができる。
【００１２】
上記のような受液器取り付け用ブラケットにおいては、第１ブラケット部材および／または第２ブラケット部材を受液器の径方向に回動、あるいは受液器の軸方向にスライドさせることにより、嵌合溝と嵌合突状とによる係止構造を簡単に、しかも確実に構成、解除できる。したがって、従来のブラケットのように着脱の方向性が制限されることはなく、着脱の方向性の制限が解消されるので、組み付け、メンテナンス効率を向上できる。また、着脱の方向性の制限が解消されることにより、従来は着脱が極めて困難であるため受液器の設置が回避されていたような場所にも受液器の設置が可能になる。したがって、本発明に係る受液器取り付け用ブラケットの適用が可能な適用車両等の適用範囲を拡大することができる。
【００１３】
また、上記のような受液器取り付け用ブラケットにおいては、嵌合溝または嵌合突状は、断面を鉤形に形成することができる。この場合、第２ブラケット部材の嵌合突状は、たとえば第２ブラケット部材の一端部を折り曲げた折曲部から構成することも可能になる。したがって、第２ブラケット部材全体を一枚の板状部材をプレス加工したプレス成形品から構成することが可能となり、第２ブラケット部材、ひいてはブラケット全体の薄肉化による軽量化やコストダウンを促進できる。
【００１４】
【発明の実施の形態】
以下に、本発明の受液器取り付け用ブラケットの望ましい実施の形態を図面を参照して説明する。
図１ないし図３は、本発明の一実施態様に係る受液器取り付け用ブラケットを示している。図において、１は受液器取り付け用ブラケットを示している。受液器取り付け用ブラケット１は、第１ブラケット部材２と第２ブラケット部材３とを有している。ブラケット部材２、３は金属（たとえば、アルミニウム）や樹脂から構成することができる。第１ブラケット部材２は、受液器４の周側面５の周方向の一部（本実施態様においては略半周）を抱持する抱持部６を有している。また、第２ブラケット部材３も受液器４の周側面５の他の一部を抱持する抱持部７を有している。
【００１５】
第１ブラケット部材２の抱持部６の一端部には、鉤形の嵌合溝８が設けられている。嵌合溝８は第１ブラケット部材２の幅方向（図１の奥行き方向）の全長または一部に延設されている。嵌合溝８には、第２ブラケット部材３の抱持部７の一端部に設けられた嵌合突状９が嵌合されている。嵌合突状９は第２ブラケット部材３の幅方向の全長または一部に延設されている。嵌合突状９が嵌合溝８に嵌合されることにより両抱持部６、７の一端部に係止構造が構成されるようになっている。
【００１６】
第２ブラケット部材２はプレス成形品からなっている。第２ブラケット部材３は、図２に示すように一枚の板状部材にプレス加工を施すことにより抱持部７および後述の締結部１０、孔１４等を形成し（図２（ａ））、さらに抱持部７の一端部を折り曲げて嵌合突状９としての折曲部を形成することにより簡単に製造できる（図２（ｂ））。なお、上記抱持部７、締結部１０等と嵌合突状９とは一回のプレスにより同時に形成することもできる。
【００１７】
両ブラケット部材２、３の抱持部６、７の他端部には、締結部１０、１１が設けられている。締結部１０、１１には、締結部材としてのボルト１２が挿通される孔１３、１４が穿設されている。孔１３、１４にボルト１２を螺合させることにより両締結部１０、１１が強固に締結されるようになっている。そして、抱持部６、７の一端部の係止構造および他端部の締結構造により、受液器４の周側面５の略全周が抱持部６、７により強固に抱持されるようになっている。
【００１８】
第１ブラケット部材２の抱持部６の一端部側には、凝縮器１５のヘッダ１６の外周面に固定（たとえば、ろう付けされる）取り付け部１７が設けられている。
【００１９】
本実施態様においては、抱持部６、７の一端部における係止構造は、極めて簡単に構成、解除することができる。つまり、図３に示すように、嵌合突状９の先端を嵌合溝８に挿入し（図３（ａ））、この状態で第２ブラケット部材３を第１ブラケット部材２側に、受液器４の径方向に沿わせて徐々に回動させ（図３（ｂ）、（ｃ））、両ブラケット部材２、３の締結部１０、１１を互いに当接させれば係止構造が簡単に構成される。また、両締結部１０、１１をボルト１２で締結すれば締結構造が構成される。
【００２０】
一方、係止構造を解除するには、まずはじめに、ボルト１２を取り外して抱持部６、７の他端部の締結を解除し、第２ブラケット部材３を第１ブラケット部材２から離間させる方向（つまり、係止構造構成時とは逆）に、受液器４の径方向に沿わせて回動させれば、簡単に係止構造を解除することができる。
【００２１】
また、本実施態様における係止構造は、上記のような方法とは別に、嵌合溝８と嵌合突状９を位置合せしていずれか一方または双方のブラケット部材を受液器４の軸方向（図１、図２の奥行き方向）にスライドさせても係止構造を簡単に構成、解除することができる。
【００２２】
つまり、本実施態様のような受液器取り付け用ブラケット１においては、第１ブラケット部材２および／または第２ブラケット部材３を受液器４の径方向に回動、あるいは受液器４の軸方向にスライドさせるだけで、嵌合溝と嵌合突状との係止構造を簡単に構成、解除することができる。したがって、着脱の方向性の制限が解消されるので、組み付け、メンテナンス効率を向上できる。また、着脱の方向性の制限が解消されれば、これまで着脱が困難であるため受液器４の設置が避けられていたような場所にも受液器を設置することが可能になる。したがって、適用車両等の適用範囲を拡大することができる。
【００２３】
また、本実施態様においては、第２ブラケット部材３はプレス成形品からなっており抱持部７に設けられる嵌合突状９は、抱持部８の一端部を折り曲げた折曲部から構成されているので、従来の従来の押出成形品からなる嵌合突状（図４、図５のスライド嵌合突状）に比べて大幅に薄肉化が促進され、軽量化、コストダウンを達成することができる。さらに、本実施態様のように嵌合突状９を折曲部から形成されているので、押出成形のみならずプレス成形、鋳造成形、射出成形等によっても容易に第２ブラケット部材３を成形することが可能になる。
【００２４】
【発明の効果】
以上説明したように、本発明に係る受液器取り付け用ブラケットによるときは、着脱の方向性の制限を解消することができるので、組み付け、メンテナンス効率を向上することができる。また、受液器取り付け用ブラケットの適用範囲を拡大することができる。さらに、薄肉化の促進による軽量化、コストダウンを達成することができる。
【図面の簡単な説明】
【図１】本発明の一実施態様に係る受液器取り付け用ブラケットの平面図である。
【図２】図１の受液器取り付け用ブラケットの第２ブラケット部材の成形工程を示す工程図である。
【図３】図１の受液器取り付け用ブラケットの取り付け工程を示す工程図である。
【図４】従来の受液器取り付け用ブラケットの平面図である。
【図５】従来の受液器取り付け用ブラケットの分解平面図である。
【符号の説明】
１  受液器取り付け用ブラケット
２  第１ブラケット部材
３  第２ブラケット部材
４  受液器
５  受液器の周側面
６、７  抱持部
８  嵌合溝
９  嵌合突状
１０、１１  締結部
１２  ボルト
１３、１４  孔
１５  凝縮器
１６  ヘッダ
１７  取り付け部
【図１】
2004268615.tif 000003
【図２】
2004268615.tif 000004
【図３】
2004268615.tif 000005
【図４】
2004268615.tif 000006
【図５】
2004268615.tif 000007
【手続補正書】
【提出日】平成16年2月9日(2004.2.9)
【手続補正１】
【補正対象書類名】明細書
【補正対象項目名】０００７
【補正方法】変更
【補正の内容】
【０００７】
【発明が解決しようとする課題】
しかしながら、上記のような受液器取り付け用ブラケット１００においては、スライド嵌合溝１０６は奥拡がり状に形成されているので、該溝１０６に嵌合されるスライド嵌合突状１０７も当然先端に向かって拡がる形状に形成される。このため、ブラケット部材１０１、１０２のいずれか一方を受液器１０３の径方向から回動させて、溝１０６に突状１０７を嵌合させることは不可能である（図５）。つまり、上記のような係止構造を構成する際には、ブラケット部材１０１および／またはブラケット部材１０２を受液器１０３の軸方向に移動させながら、溝１０６と突状１０７とを位置合せして係止させる以外に方法はない。このため、取り付け、取り外し（以下、着脱ということもある）作業の自由度が著しく低下するおそれがある。とくに、車両用の冷凍回路においては、着脱時における作業スペースは大幅に制約されるため、ブラケット１００の着脱が実質的に不可能になるケースも想定され、適用車両等の適用範囲の狭小化を招くおそれがある。


【手続補正２】
【補正対象書類名】明細書
【補正対象項目名】００１６
【補正方法】変更
【補正の内容】
【００１６】
第２ブラケット部材２はプレス成形品からなっている。第２ブラケット部材３は、図２に示すように一枚の板状部材にプレス加工を施すことにより抱持部７および後述の締結部１１、孔１４等を形成し（図２（ａ））、さらに抱持部７の一端部を折り曲げて嵌合突状９としての折曲部を形成することにより簡単に製造できる（図２（ｂ））。なお、上記抱持部７、締結部１１等と嵌合突状９とは一回のプレスにより同時に形成することもできる。


【手続補正３】
【補正対象書類名】明細書
【補正対象項目名】００２３
【補正方法】変更
【補正の内容】
【００２３】
また、本実施態様においては、第２ブラケット部材３はプレス成形品からなっており抱持部７に設けられる嵌合突状９は、抱持部７の一端部を折り曲げた折曲部から構成されているので、従来の従来の押出成形品からなる嵌合突状（図４、図５のスライド嵌合突状）に比べて大幅に薄肉化が促進され、軽量化、コストダウンを達成することができる。さらに、本実施態様のように嵌合突状９を折曲部から形成されているので、押出成形のみならずプレス成形、鋳造成形、射出成形等によっても容易に第２ブラケット部材３を成形することが可能になる。